(57)【特許請求の範囲】
【請求項１】
屋根面の棟側に敷設される太陽光パネルと、前記屋根面の軒側に敷設される屋根材と、を備える太陽光発電屋根であって、
ケラバに沿って延びるとともに前記太陽光パネルのケラバ側端部を覆う第１ケラバ化粧材と、
前記ケラバに沿って延びるとともに前記屋根材のケラバ側端部を覆う第２ケラバ化粧材と、
前記太陽光パネルと前記屋根材との間の屋根面に固定され、該屋根面から前記屋根材の棟側端部の上面まで延びて該屋根材の棟側端部を覆う水切り部材と、
前記第１ケラバ化粧材と前記第２ケラバ化粧材の連結部から前記水切り部材のケラバ側端部に亘って配置されるケラバ側水切り部材と、を備え、
前記ケラバ側水切り部材は、前記水切り部材が配置される屋根面上に配置される平板状の平面部と、該平面部のケラバ側端部から立ち上がる立上がり部と、を有する太陽光発電屋根。
【請求項２】
前記ケラバ側水切り部材は、前記立上がり部の軒側端部から延出し、軒側に向かうに従いケラバ側とは反対側に傾斜して延びる延出部をさらに有する請求項１に記載の太陽光発電屋根。
【請求項３】
前記ケラバ側水切り部材の平面部は、前記屋根面と前記水切り部材との間に配置される請求項１又は２に記載の太陽光発電屋根。
【発明の詳細な説明】
【技術分野】
【０００１】
本発明は、太陽光発電屋根に関する。
【背景技術】
【０００２】
従来、屋根面の棟側に太陽光パネルが敷設され、該屋根面の軒側に屋根材が敷設された所謂張分けタイプの太陽光発電屋根が知られている（例えば、特許文献１参照）。このような張分けタイプの太陽光発電屋根においては、特に太陽光パネルと屋根材との境において、ケラバ化粧材の良好な水仕舞いを確保する必要がある。
【先行技術文献】
【特許文献】
【０００３】
【特許文献１】特開２００２−４５２８号公報
【発明の概要】
【発明が解決しようとする課題】
【０００４】
しかしながら、太陽光パネルと屋根材との境におけるケラバ化粧材には、太陽光パネル下の縦桟に形成された流路（捨て谷）等から雨水が流れ込む他、太陽光パネルと屋根材との境に設けられる水切り部材のケラバ側端部から雨水が流れ込むところ、従来の張分けタイプの太陽光発電屋根ではケラバ化粧材の外側から雨水がこぼれ落ちる等、水仕舞いが悪かった。
【０００５】
本発明は、上記課題に鑑みてなされたものであり、太陽光パネル及び屋根材を備える張分けタイプの太陽光発電屋根において、水仕舞いの良い太陽光発電屋根を提供することを目的とする。
【課題を解決するための手段】
【０００６】
上記目的を達成するため本発明は、屋根面（例えば、後述する屋根面１００Ａ）の棟側に敷設される太陽光パネル（例えば、後述する太陽光パネル２）と、前記屋根面の軒側に敷設される屋根材（例えば、後述するスレート３）と、を備える太陽光発電屋根（例えば、後述する太陽光発電屋根１００）であって、ケラバに沿って延びるとともに前記太陽光パネルのケラバ側端部を覆う第１ケラバ化粧材（例えば、後述する第１ケラバ化粧材６１）と、前記ケラバに沿って延びるとともに前記屋根材のケラバ側端部を覆う第２ケラバ化粧材（例えば、後述する第２ケラバ化粧材６２）と、前記太陽光パネルと前記屋根材との間の屋根面に固定され、該屋根面から前記屋根材の棟側端部の上面まで延びて該屋根材の棟側端部を覆う水切り部材（例えば、後述する水切り部材１４０）と、前記第１ケラバ化粧材と前記第２ケラバ化粧材の連結部（例えば、後述する連結部６３）から前記水切り部材のケラバ側端部に亘って配置されるケラバ側水切り部材（例えば、後述するケラバ側水切り部材１４１）と、を備え、前記ケラバ側水切り部材は、前記水切り部材が配置される屋根面上に配置される平板状の平面部（例えば、後述する平面部１４１Ａ）と、該平面部のケラバ側端部から立ち上がる立上がり部（例えば、後述する立上がり部１４１Ｂ）と、を有する太陽光発電屋根を提供する。
【０００７】
また、前記ケラバ側水切り部材は、前記立上がり部の軒側端部から延出し、軒側に向かうに従いケラバ側とは反対側に傾斜して延びる延出部（例えば、後述する延出部１４１Ｃ）をさらに有することが好ましい。
【０００８】
また、前記ケラバ側水切り部材の平面部は、前記屋根面と前記水切り部材との間に配置されることが好ましい。
【発明の効果】
【０００９】
本発明によれば、太陽光パネル及び屋根材を備える張分けタイプの太陽光発電屋根において、水仕舞いの良い太陽光発電屋根を提供できる。
【図面の簡単な説明】
【００１０】
【図１】本発明の一実施形態に係る太陽光発電屋根の斜視図である。
【図２】本実施形態に係る太陽光発電屋根が備えるケラバ化粧材の連結部をケラバ側から見た斜視図である。
【図３】本実施形態に係る太陽光発電屋根が備えるケラバ化粧材の連結部を屋根面側から見た斜視図である。
【図４】図２においてケラバ化粧材を取り外した状態の斜視図である。
【図５】図３においてケラバ化粧材を取り外した状態の斜視図である。
【図６】図３においてケラバ化粧材及び当接板を取り外した状態の斜視図である。
【図７】図３においてケラバ化粧材、当接板及び延出部を取り外した状態の斜視図である。
【発明を実施するための形態】
【００１１】
以下、本発明の一実施形態について、図面を参照しながら詳しく説明する。
【００１２】
図１は、本実施形態に係る太陽光発電屋根１００を示す斜視図である。図２は、本実施形態に係る太陽光発電屋根１００が備えるケラバ化粧材６０の連結部６３をケラバ側から見た斜視図である。図３は、本実施形態に係る太陽光発電屋根１００が備えるケラバ化粧材６０の連結部６３を屋根面側から見た斜視図である。図４は、図２においてケラバ化粧材を取り外した状態の斜視図である。図５は、図３においてケラバ化粧材を取り外した状態の斜視図である。図６は、図３においてケラバ化粧材及び当接板を取り外した状態の斜視図である。図７は、図３においてケラバ化粧材、当接板及び延出部を取り外した状態の斜視図である。
【００１３】
図１に示すように、太陽光発電屋根１００は、建物１０１の屋根を構成する。太陽光発電屋根１００は、屋根面１００Ａと屋根面１００Ｂを有する切妻式屋根である。日当たりの良い側の屋根面１００Ａの棟側には複数の太陽光パネル２が敷設され、軒側には屋根材としてのスレート３が敷設される。また、日当たりの悪い側の屋根面１００Ｂには屋根材としてのスレート７が敷設される。
【００１４】
屋根面１００Ａ側には、下地材５と（図４参照）、太陽光パネル２と、不図示の太陽光パネル２の架台と、スレート３と、水切り部材１４０と、ケラバ化粧材６０と、が設けられる。
【００１５】
下地材５は、野地板、防水シート及び鋼板、を備える。下地材５は、太陽光発電屋根１００の土台部分を構成し、後述する架台を固定支持する。野地板としては合板等の板材が用いられる。防水シートとしてはアスファルトルーフィング等の防水材料が用いられる。また鋼板としては従来公知の防火鋼板等が用いられる。
【００１６】
太陽光パネル２の周縁部には、隣接する太陽光パネル２同士の隙間２１が形成され、該周縁部の上端は長尺材２２によって押えられている。これら隙間２１及び長尺材２２の下方には、縦桟２４（図６参照）及び不図示の横桟が設けられる。
【００１７】
架台は、上述の下地材５上に配置される。架台は、ビス止めされることで下地材５に固定される。
架台は、格子状に枠組みされた複数の上記縦桟２４及び横桟と、架台の軒側端部に沿って設けられる軒カバー２３と（図１参照）、を有する。
【００１８】
縦桟２４は、屋根面１００Ａの傾斜方向に延びて設けられる。縦桟２４は、屋根面１００Ａの傾斜方向に直交する幅方向に一定の間隔で複数配置されて、下地材５にビス止めされる。
また、縦桟２４の底部には、太陽光パネル２の表面側から下面側に侵入して縦桟２４に流れ込む雨水を軒側に案内して排水するための捨て谷２４Ａが形成されている（図６参照）。
【００１９】
横桟は、屋根面１００Ａの傾斜方向に直交する幅方向に延びて設けられ、縦桟２４上にビス止めされる。
【００２０】
軒カバー２３は、太陽光パネル２の軒側端部に配置され、該軒側端部の上面から軒側に向かって下方に傾斜して設けられる。
軒カバー２３のケラバ側端部は、後述の第２ケラバ化粧材６２の連結部６３における屋根面側の側面を構成する当接板６２Ｄに当接する。即ち、軒カバー２３の両ケラバ側端部はそれぞれ、第２ケラバ化粧材６２の内部までは至らず、第２ケラバ化粧材６２に隣接して配置されている。
【００２１】
太陽光パネル２は、上記の架台を構成する縦桟２４及び横桟に取り付けられ、固定支持される。
【００２２】
ケラバ化粧材６０は、屋根面１００Ａの妻側の端部において、棟から軒にかけて延びて設けられる。ケラバ化粧材６０は、太陽光パネル２のケラバ側端部を覆う第１ケラバ化粧材６１と、スレート３のケラバ側端部を覆う第２ケラバ化粧材６２と、両化粧材を連結する連結部６３と、を有する。
【００２３】
第１ケラバ化粧材６１は、太陽光パネル２が敷設された棟側のケラバに沿って延びて設けられる。第１ケラバ化粧材６１は、縦桟２４にビス止めされて固定される内側枠材６１Ｂと、この内側枠材６１Ｂにビス止めされる外側枠材６１Ａと、第１ケラバ化粧材６１と太陽光パネル２との間の隙間を塞ぐ隙間カバー６１Ｃと、を含んで構成される（図４等参照）。この第１ケラバ化粧材６１は、太陽光パネル２のケラバ側端部の他、縦桟２４及び捨て谷２４Ａ等を覆うように設けられる。
【００２４】
第２ケラバ化粧材６２は、スレート３が敷設された軒側のケラバに沿って延びて設けられる。第２ケラバ化粧材６２は、屋根面に固定される内側枠材６２Ｂと、この内側枠材６２Ｂに固定される外側枠材６２Ａと、第２ケラバ化粧材６２とスレート３との隙間を塞ぐ隙間カバー６２Ｃと、第２ケラバ化粧材６２の屋根面側の側面を構成する側面部６２Ｅと、を含んで構成される（図２，図３参照）。第２ケラバ化粧材６２の内部には、スレート３を固定する止水部材３１がケラバに沿って延びて設けられている（図５〜図７参照）。この第２ケラバ化粧材６２は、スレート３のケラバ側端部の他、後述の水切り部材１４０等を覆うように設けられる。
【００２５】
連結部６３は、第１ケラバ化粧材６１と第２ケラバ化粧材６２とを連結する。本実施形態の太陽光発電屋根１００では、この連結部６３の水仕舞いが従来よりも向上している。
なお、本実施形態の連結部６３は、第１ケラバ化粧材６１の軒側端部の近傍から第２ケラバ化粧材６２の棟側端部の近傍を含む範囲を指す。
【００２６】
水切り部材１４０は、スレート３の棟側端部に配置される。水切り部材１４０の棟側端部は軒カバー２３で覆われており、その軒側端部はスレート３の棟側端部の上面まで延びている。水切り部材１４０のケラバ側端部は、当接板６２Ｄに後述するカバー部１４１Ｄ（図５参照）を介して当接している。この水切り部材１４０と軒カバー２３とにより、太陽光パネル２の上面を流れる雨水は、スレート３の上面に案内される。
【００２７】
第１ケラバ化粧材６１と第２ケラバ化粧材６２の連結部６３には、当接板６２Ｄと、ケラバ側水切り部材１４１と、が配置される。
【００２８】
当接板６２Ｄは、第２ケラバ化粧材６２の連結部６３における屋根面側の側面を構成する。当接板６２Ｄは、軒カバー２３のケラバ側端部に当接しており、軒カバー２３からケラバ側へ流れる雨水をせき止める。当接板６２Ｄは、その高さが軒カバー２３よりも小さい一方で、水切り部材１４０よりは大きい。また、当接板６２Ｄは、軒カバー２３の軒側におけるケラバ側端部と水切り部材１４０のケラバ側端部に当接している。
【００２９】
ケラバ側水切り部材１４１は、第１ケラバ化粧材６１と第２ケラバ化粧材６２の連結部６３から、水切り部材１４０のケラバ側端部に亘って配置される。また、このケラバ側水切り部材１４１は、縦桟２４の捨て谷２１Ａの軒側に配置されている（図５〜図７参照）。これにより、捨て谷２４Ａを流れる雨水は、ケラバ側水切り部材１４１に流れ込むようになっている。
【００３０】
ケラバ側水切り部材１４１は、水切り部材１４０が配置される屋根面上に配置される平板状の平面部１４１Ａと、平面部１４１Ａのケラバ側端部から立ち上がる立上がり部１４１Ｂと、立上がり部１４１Ｂの軒側端部から延出し、軒側に向かうに従いケラバ側とは反対側に傾斜して延びる延出部１４１Ｃと、を有する（図５及び図６参照）。
また、ケラバ側水切り部材１４１は、上記平面部１４１Ａの上面を覆う平面状のカバー部１４１Ｄと、該カバー部１４１Ｄのケラバ側端部から起立して上記延出部１４１Ｃに接続される起立部１４１Ｅと、をさらに有する（図５及び図６参照）。
【００３１】
なお、本実施形態では、平面部１４１Ａ及び立上がり部１４１Ｂが、一部材で構成される。即ち、板状部材の一部を屈曲させて立ち上げることで、これら平面部１４１Ａと立上がり部１４１Ｂが形成される。
また、延出部１４１Ｃ、カバー部１４１Ｄ及び起立部１４１Ｅが、一部材で構成される。即ち、板状部材の一部を屈曲させて起立させ、起立部の一端を内側に屈曲させることで、これら延出部１４１Ｃ、カバー部１４１Ｄ及び起立部１４１Ｅが形成される。
【００３２】
平面部１４１Ａ、より詳しくは平面部１４１Ａのケラバ側とは反対側の端部は、水切り部材１４０に当接して配置される（図７参照）。これにより、平面部１４１Ａは、水切り部材１４０の裏側に侵入した雨水は軒側に案内される。
また、平面部１４１Ａの棟側端部は、捨て谷２４Ａが形成された縦桟２４の下面に配置される防水テープ２１Ｂに当接する位置に配置される。これにより、捨て谷２４Ａから流れ込む雨水は軒側に案内される。
【００３３】
立上がり部１４１Ｂは、第２ケラバ化粧材６２を構成する内側枠材６２Ｂの外側側面に連なるように設けられる。この立上がり部１４１Ｂは、縦桟２４の軒側端部から内側枠材６２Ｂの棟側端部まで延びている（図４〜図７参照）。これにより、水切り部材１４０側から侵入した雨水や捨て谷２４Ａから流れ込む雨水は、ケラバ化粧材６０の外側にこぼれ落ちることなく、軒側に案内される。
【００３４】
即ち、平面部１４１Ａと立上がり部１４１Ｂは、上述したように一部材で構成されて断面視略Ｌ字形状を有し、ケラバ化粧材６０内部においてケラバ側に向かう雨水をせき止め、軒側の延出部１４１Ｃに案内する。これにより、捨て谷２４Ａや水切り部材１４０からケラバ化粧材６０内部に流れ込む雨水が、ケラバ化粧材６０の外側にこぼれ落ちるのが回避される。
【００３５】
延出部１４１Ｃは、立上がり部１４１Ｂの軒側端部から延出し、軒側に向かうに従いケラバ側とは反対側に傾斜して延びている。延出部１４１Ｃは、ケラバ化粧材６０に流れ込む雨水を、ケラバ側とは反対側に案内する。また、スレート３のケラバ側端部の一部には、複数の隙間３２が形成されており（図６参照）、延出部１４１Ｃは、最も棟側の隙間３２よりも棟側に配置される。これにより、雨水が隙間３２に侵入するのが回避される。
【００３６】
カバー部１４１Ｄは、ケラバ化粧材６０内において、水切り部材１４０の表面を覆うように設けられる。また、カバー部１４１Ｄのケラバ側端部は、延出部１４１Ｃの底部に連続して成形できる。これにより、カバー部１４１Ｄの途中に配置される延出部１４１Ｃにより、水切り部材１４０表面を伝いケラバ化粧材６０内部に流れ込む雨水を、ケラバ側とは反対側に案内できる。
【００３７】
なお、第２ケラバ化粧材６２の内部に配置される止水部材３１は、スレート３のケラバ側端部の上面に配置される。止水部材３１の棟側端部は、上記延出部１４１Ｃに当接している。この止水部材３１の棟側端部近傍に、最も棟側に位置する隙間３２が形成されている。
【００３８】
本実施形態によれば、以下の効果が奏される。
本実施形態では、屋根面１００Ａの棟側に敷設される太陽光パネル２と、屋根面の軒側に敷設されるスレート３と、を備える太陽光発電屋根１００に、ケラバ化粧材６０に沿って延びるとともに太陽光パネル２のケラバ側端部を覆う第１ケラバ化粧材６１と、ケラバに沿って延び、スレート３のケラバ側端部を覆う第２ケラバ化粧材６２と、を設けた。また、太陽光パネル２とスレート３との間の屋根面に固定され、該屋根面からスレート３の棟側端部の上面まで延びてスレート３の棟側端部を覆う水切り部材１４０と、第１ケラバ化粧材６１と第２ケラバ化粧材６２の連結部６３から水切り部材１４０のケラバ側端部に亘って配置されるケラバ側水切り部材１４１と、を設けた。そして、ケラバ側水切り部材１４１は、水切り部材１４０が配置される屋根面上に配置される平板状の平面部１４１Ａと、該平面部１４１Ａのケラバ側端部から立ち上がる立上がり部１４１Ｂと、を有する構成とした。
【００３９】
これにより、太陽光パネル２のケラバ側端部を覆う第１ケラバ化粧材６１と、スレート３のケラバ側端部を覆う第２ケラバ化粧材６２との連結部６３から、太陽光パネル２とスレート３との境に設けられる水切り部材１４０のケラバ側端部に亘って、ケラバ側水切り部材１４１が配置されているため、ケラバ化粧材６０の水仕舞いが向上している。具体的には、水切り部材１４０が配置される屋根面上に平板状の平面部１４１Ａを設けるとともに、該平面部１４１Ａのケラバ側端部から立ち上がる立上がり部１４１Ｂを設けたことにより、太陽光パネル２下の縦桟２４に形成された捨て谷２４Ａから流れ込む雨水や、水切り部材１４０のケラバ側端部から流れ込む雨水が、ケラバ化粧材６０の外側からこぼれ落ちるのを回避できる。
従って本実施形態によれば、水仕舞いの良い張分けタイプの太陽光発電屋根１００を提供できる。
【００４０】
また本実施形態によれば、ケラバ側水切り部材１４１を、立上がり部１４１Ｂの軒側端部から延出し、軒側に向かうに従いケラバ側とは反対側に傾斜して延びる延出部１４１Ｃを有する構成とした。
これにより、ケラバ化粧材６０に流れ込む雨水を、ケラバ側とは反対側に案内することができるとともに、隙間３２に雨水が流れ込むのを回避でき、水仕舞いをより向上できる。
【００４１】
また本実施形態によれば、ケラバ側水切り部材１４１の平面部１４１Ａを、屋根面１００Ａと水切り部材１４０との間に配置する構成とした。
これにより、水切り部材１４０の下面に雨水が流れ込んだとしても、その雨水はケラバ側水切り部材１４１の平面部１４１Ａ及び立ち上がり部１４２によって、ケラバ化粧材６０の外側にこぼれ落ちるのを回避できるため、水仕舞いをさらに向上できる。
【００４２】
なお、本発明は上記実施形態に限定されるものではなく、本発明の目的を達成できる範囲での変形、改良等は本発明に含まれる。
例えば、上記実施形態では、太陽光発電屋根１００を切妻屋根として説明したが、これに限られない。太陽光発電屋根１００は、張合せタイプの片流れ屋根でもよい。
【００４３】
また、上記実施形態では、屋根材としてスレート３を例に説明しているが、これに限られない。屋根材としては、下地材の上に敷設されて屋根の表面を構成する部材であれば、瓦や金属板等であってもよく、特に限定されない。
【符号の説明】
【００４４】
１００…太陽光発電屋根
１００Ａ…屋根面
１４０…水切り部材
１４１…ケラバ側水切り部材
１４１Ａ…平面部
１４１Ｂ…立ち上がり部
１４１Ｃ…延出部
２…太陽光パネル
３…スレート（屋根材）
２３…軒カバー
２４…縦桟
６０…ケラバ化粧材
６１…第１ケラバ化粧材
６２…第２ケラバ化粧材
６３…連結部
【図１】
0006564323.tif 000002
【図２】
0006564323.tif 000003
【図３】
0006564323.tif 000004
【図４】
0006564323.tif 000005
【図５】
0006564323.tif 000006
【図６】
0006564323.tif 000007
【図７】
0006564323.tif 000008